(57)【要約】【課題】部品間の寸法公差を吸収することができ、組立時の作業性を改善できる電子機器を得ることにある。【解決手段】電子機器は、第１の係合部が形成された第１の壁を有する第１の部品と、第１の壁に沿うとともに第２の係合部が形成された第２の壁を有する第２の部品と、第１の部品と第２の部品との間に配置された表示パネルと、第１の部品と第２の部品との間を連結するクリップと、を具備する。クリップは、第１の壁と第２の壁との間に跨るように挿入され、第１の壁と第２の壁とを弾性的に挟み込んで保持する挟持部を有している。第１の壁の第１の係合部に取り外し可能に係合される第３の係合部が挟持部に設けられている。第２の壁の第２の係合部に取り外し可能に係合される第４の係合部が挟持部に設けられている。【選択図】図１３
2015072372.tif 000002
【特許請求の範囲】
【請求項１】
第１の係合部が形成された第１の壁を有する第１の部品と、
前記第１の壁に沿うとともに、第２の係合部が形成された第２の壁を有する第２の部品と、
前記第１の部品と前記第２の部品との間に配置された表示パネルと、
前記第１の部品と前記第２の部品との間を連結するクリップと、を具備し、
前記クリップは、
前記第１の壁と前記第２の壁との間に跨るように挿入され、前記第１の壁と前記第２の壁とを弾性的に挟み込んで保持する挟持部と、
前記挟持部に設けられ、前記第１の壁の前記第１の係合部に取り外し可能に係合される第３の係合部と、
前記挟持部に設けられ、前記第２の壁の前記第２の係合部に取り外し可能に係合される第４の係合部と、を含む電子機器。
【請求項２】
前記第１の壁と前記第２の壁との間に介在された第３の壁を有する第３の部品をさらに備え、前記第１ないし前記第３の部品が前記クリップにより一体的に連結された請求項１に記載の電子機器。
【請求項３】
前記クリップの前記挟持部は、前記第１の壁に重なるとともに前記第３の係合部が形成された第１の板部と、前記第２の壁に重なるとともに前記第４の係合部が形成された第２の板部と、前記第１の板部と前記第２の板部との間に跨る第３の板部と、を含み、前記第１の壁および前記第２の壁が前記クリップの前記第１の板部と前記第２の板部との間で弾性的に挟み込まれた請求項１に記載の電子機器。
【請求項４】
前記第２の部品は、前記第２の壁と交差する方向に延びた周壁を有し、前記クリップは、前記第１の部品と前記第２の部品との間を連結した時に前記周壁と向かい合う延出部を有する請求項３に記載の電子機器。
【請求項５】
前記クリップは、前記延出部から延出された抓み部を有する請求項４に記載の電子機器。
【請求項６】
前記クリップは、金属板を一体的に折り曲げることで構成された請求項３ないし請求項５のいずれか一項に記載の電子機器。
【請求項７】
前記第１の部品は、第５の係合部を有するとともに、前記第３の部品は、前記第５の係合部に対応した位置に第６の係合部を有し、前記第５の係合部と前記第６の係合部とを互いに係合させることで、前記第１の壁と前記第３の壁との相対的な位置が定まるように構成された請求項２に記載の電子機器。
【請求項８】
前記第２の部品の前記第２の壁は、複数の第７の係合部を有し、一方の前記第７の係合部は、前記第１の部品の前記第１の壁に取り外し可能に引っ掛かり、他方の前記第７の係合部は、前記第３の部品の前記第３の壁に取り外し可能に引っ掛かる請求項７に記載の電子機器。
【請求項９】
前記クリップは、一方の前記第７の係合部に対応した位置で前記第１ないし第３の壁を弾性的に挟み込んで保持するように構成された請求項８に記載の電子機器。
【請求項１０】
前記クリップは、前記第１の壁に引っ掛かった前記第７の係合部を覆うように構成された請求項９に記載の電子機器。
【請求項１１】
筐体と、
前記筐体に収容された表示パネルと、を具備した電子機器であって、
前記筐体は、
第１の壁を有する第１の部品と、
前記第１の壁に沿う第２の壁を有する第２の部品と、
前記第１の壁と前記第２の壁との間に介在された第３の壁を有し、前記第１の部品と前記第２の部品との間に配置された第３の部品と、
前記第１の部品の前記第１の壁と前記第２の部品の前記第２の壁との間に跨るように挿入され、前記第１の壁、前記第２の壁および前記第３の壁を弾性的に挟み込んで保持するとともに、前記第１の壁および前記第２の壁に取り外し可能に引っ掛かるクリップと、を備えた電子機器。
【請求項１２】
前記クリップは、前記第１の壁に重なるとともに前記第１の壁に取り外し可能に引っ掛かる第１の板部と、前記第２の壁に重なるとともに前記第２の壁に取り外し可能に引っ掛かる第２の板部と、前記第１の板部と前記第２の板部との間に跨る第３の板部と、を含み、前記第１の壁、前記第２の壁および前記第３の壁が前記クリップの前記第１の板部と前記第２の板部との間で弾性的に挟み込まれた請求項１１に記載の電子機器。
【請求項１３】
前記第２の部品は、前記第２の壁と交差する方向に延びた周壁を有し、前記クリップは、前記第１の壁と前記第２の壁との間に跨るように挿入された時に前記周壁と向かい合う延出部を有する請求項１１又は請求項１２に記載の電子機器。
【請求項１４】
前記クリップは、抓み部を有する請求項１１ないし請求項１３のいずれか一項に記載の電子機器。
【請求項１５】
筐体と、
前記筐体に収容され、映像を表示する画面を有する表示パネルと、を具備した映像表示装置であって、
前記筐体は、
前記画面を露出させる開口部と、開口部の周囲に位置された第１の壁と、を含むフロントベゼルと、
前記フロントベゼルおよび前記表示パネルの背後に位置されるとともに、前記第１の壁に沿う第２の壁を有するバックシャーシと、
前記フロントベゼルと前記バックシャーシとの間に配置され、前記第１の壁と前記第２の壁との間に介在された第３の壁を有するフレームと、
前記フロントベゼルの前記第１の壁と前記バックシャーシの前記第２の壁との間に跨るように挿入され、前記第１の壁、前記第２の壁および前記第３の壁を弾性的に挟み込んで保持するとともに、前記第１の壁および前記第２の壁に取り外し可能に引っ掛かるクリップと、を備えた映像表示装置。
【請求項１６】
前記クリップは、前記第１の壁に重なるとともに前記第１の壁に取り外し可能に引っ掛かる第１の板部と、前記第２の壁に重なるとともに前記第２の壁に取り外し可能に引っ掛かる第２の板部と、前記第１の板部と前記第２の板部との間に跨る第３の板部と、を含み、前記第１の壁、前記第２の壁および前記第３の壁が前記クリップの前記第１の板部と前記第２の板部との間で弾性的に挟み込まれた請求項１５に記載の映像表示装置。
【請求項１７】
前記バックシャーシは、前記第２の壁と交差する方向に延びた周壁を有し、前記クリップは、前記第１の壁と前記第２の壁との間に跨るように挿入された時に前記周壁と向かい合う延出部を有する請求項１５又は請求項１６に記載の映像表示装置。
【請求項１８】
前記クリップは、前記延出部に連続するように設けられた抓み部を有する請求項１７に記載の映像表示装置。
【発明の詳細な説明】
【技術分野】
【０００１】
本発明の実施形態は、電子機器および映像表示装置に関する。
【背景技術】
【０００２】
映像表示装置の一例である液晶テレビは、映像を表示する液晶セルを備えている。液晶セルは、ミドルフレームとフロントベゼルとの間で保持されているとともに、背後からバックシャーシで覆われている。
【先行技術文献】
【特許文献】
【０００３】
【特許文献１】特開２０１２−１４０００号公報
【特許文献２】特開２０１０−２８６６８６号公報
【発明の概要】
【発明が解決しようとする課題】
【０００４】
従来の液晶テレビでは、フロントベゼル、ミドルフレームおよびバックシャーシは、複数のねじで互いに結合されている。この構成によると、フロントベゼル、ミドルフレームおよびバックシャーシの三つの要素が相対的に動かないように完全に固定されてしまうので、各要素間の寸法公差を三つの要素の結合部分で吸収することができなくなる。
【０００５】
この結果、三つの要素の結合部分に応力が生じて、例えば化粧面となるフロントベゼルが歪むことがある。さらに、三つの要素間に跨ってねじを挿通することが困難となることがあり、液晶テレビの組み立て作業を効率よく行う上で改善の余地がある。
【０００６】
本発明の目的は、部品間の寸法公差を吸収することができ、組立時の作業性を改善できる電子機器を得ることにある。
【課題を解決するための手段】
【０００７】
実施形態によれば、電子機器は、第１の係合部が形成された第１の壁を有する第１の部品と、前記第１の壁に沿うとともに第２の係合部が形成された第２の壁を有する第２の部品と、前記第１の部品と前記第２の部品との間に配置された表示パネルと、前記第１の部品と前記第２の部品との間を連結するクリップと、を具備する。
【０００８】
前記クリップは、前記第１の壁と前記第２の壁との間に跨るように挿入され、前記第１の壁と前記第２の壁とを弾性的に挟み込んで保持する挟持部を有している。前記第１の壁の前記第１の係合部に取り外し可能に係合される第３の係合部が前記挟持部に設けられている。前記第２の壁の前記第２の係合部に取り外し可能に係合される第４の係合部が前記挟持部に設けられている。
【図面の簡単な説明】
【０００９】
【図１】液晶テレビを正面から見た斜視図である。
【図２】液晶テレビを背後から見た斜視図である。
【図３】液晶テレビのテレビ本体を分解して示す斜視図である。
【図４】液晶テレビの一部を背後から見た背面図である。
【図５】図４のＦ５−Ｆ５線に沿う断面図である。
【図６】筐体のバックシャーシを背後から見た背面図である。
【図７】図６のＦ７の箇所を拡大して示す背面図である。
【図８】図７のＦ８の箇所を拡大して示す背面図である。
【図９】フロントベゼル、バックシャーシおよびミドルフレームを組み立てた状態を示す斜視図である。
【図１０】フロントベゼル、バックシャーシおよびミドルフレームの相対的な位置関係を示す斜視図である。
【図１１】ミドルフレームとバックシャーシとの相対的な位置関係を示す斜視図である。
【図１２】フロントベゼル、バックシャーシおよびミドルフレームをクリップで連結した状態を示す背面図である。
【図１３】図１２のＦ１３−Ｆ１３線に沿う断面図である。
【図１４】図１２のＦ１４−Ｆ１４線に沿う断面図である。
【図１５】クリップの斜視図である。
【図１６】図１５のクリップを異なる方向から見た斜視図である。
【図１７】フロントベゼル、バックシャーシおよびミドルフレームをクリップで連結した状態を示す斜視図である。
【図１８】フロントベゼル、バックシャーシおよびミドルフレームをクリップで連結した状態を図１７とは異なる方向から見た斜視図である。
【発明を実施するための形態】
【００１０】
以下、実施の形態について、図面を参照して説明する。
【００１１】
図１および図２は、実施形態に係る液晶テレビ１を開示している。液晶テレビ１は、電子機器又は液晶表示装置の一例である。液晶テレビ１は、卓上スタンド２およびテレビ本体３を備えている。卓上スタンド２は、例えばテレビ台の天板Ｔの上に設置される。テレビ本体３は、天板Ｔの上で起立するように卓上スタンド２に支持されている。
【００１２】
図３に示すように、テレビ本体３は、筐体５、液晶パネル６、バックライト７およびユニットカバー８を主要な要素として備えている。筐体５は、樹脂製のフロントベゼル１０、金属製のバックシャーシ１１および樹脂製のミドルフレーム１２を有している。
【００１３】
フロントベゼル１０は、第１の部品の一例であって、フロントカバー又は第１のカバーと言い換えることができる。フロントベゼル１０は、第１ないし第４の辺部１３ａ，１３ｂ，１３ｃ，１３ｄを有する横長の四角い枠状である。第１の辺部１３ａおよび第３の辺部１３ｃは、テレビ本体３の幅方向に水平に延びているとともに、テレビ本体３の高さ方向に互いに間隔を存して平行に配置されている。第２の辺部１３ｂおよび第４の辺部１３ｄは、テレビ本体３の高さ方向に起立されているとともに、テレビ本体３の幅方向に互いに間隔を存して平行に配置されている。第１ないし第４の辺部１３ａ，１３ｂ，１３ｃ，１３ｄは、互いに協働して四角い開口部１４を規定している。さらに、第１ないし第４の辺部１３ａ，１３ｂ，１３ｃ，１３ｄの前面は、テレビ本体３の外に露出された化粧面１５を構成している。
【００１４】
図５、図７〜図１１に示すように、フロントベゼル１０は、第１の壁１６を有している。第１の壁１６は、開口部１４を取り囲むように第１ないし第４の辺部１３ａ，１３ｂ，１３ｃ，１３ｄの背面からフロントベゼル１０の背後に突出されている。第１の壁１６は、フロントベゼル１０の周方向に連続していてもよいし、フロントベゼル１０の周方向に沿う複数個所で途切れていてもよい。
【００１５】
バックシャーシ１１は、第２の部品の一例であって、バックベゼル又は第２のカバーと言い換えることができる。バックシャーシ１１は、フロントベゼル１０の背後に位置されている。バックシャーシ１１は、後壁１８および第１ないし第４の外周壁１９ａ，１９ｂ，１９ｃ，１９ｄを有している。
【００１６】
後壁１８は、四角い形状であり、フロントベゼル１０の開口部１４と向かい合うように起立している。第１ないし第４の外周壁１９ａ，１９ｂ，１９ｃ，１９ｄは、後壁１８の外周縁からフロントベゼル１０に向かうとともに、後壁１８の周囲に張り出すように傾いている。
【００１７】
第１ないし第４の外周壁１９ａ，１９ｂ，１９ｃ，１９ｄの先端部に夫々第２の壁２０が形成されている。第２の壁２０は、第１ないし第４の外周壁１９ａ，１９ｂ，１９ｃ，１９ｄの先端部の縁からバックシャーシ１１の背後に向けて一体的に折り返されている。言い換えると、第１ないし第４の外周壁１９ａ，１９ｂ，１９ｃ，１９ｄの先端部は、第２の壁２０と交差する方向に延びている。さらに、第２の壁２０は、フロントベゼル１０の第１の壁１６の内側で第１の壁１６に沿うように延びている。第２の壁２０は、バックシャーシ１１の周方向に連続していてもよいし、バックシャーシ１１の周方向に沿う複数個所で途切れていてもよい。
【００１８】
ミドルフレーム１２は、第３の部品の一例である。ミドルフレーム１２は、第１ないし第４の辺部２２ａ，２２ｂ，２２ｃ，２２ｄを有する横長の四角い枠状である。第１の辺部２２ａは、フロントベゼル１０の第１の辺部１３ａとバックシャーシ１１の第１の外周壁１９ａの先端部との間に位置されている。第２の辺部２２ｂは、フロントベゼル１０の第２の辺部１３ｂとバックシャーシ１１の第２の外周壁１９ｂの先端部との間に位置されている。第３の辺部２２ｃは、フロントベゼル１０の第３の辺部１３ｃとバックシャーシ１１の第３の外周壁１９ｃの先端部との間に位置されている。第４の辺部２２ｄは、フロントベゼル１０の第４の辺部１３ｄとバックシャーシ１１の第４の外周壁１９ｄの先端部との間に位置されている。第１ないし第４の辺部２２ａ，２２ｂ，２２ｃ，２２ｄは、互いに協働して四角い開口部２３を規定している。
【００１９】
ミドルフレーム１２の第１ないし第４の辺部２２ａ，２２ｂ，２２ｃ，２２ｄは、夫々図１４および図１５に示すような支持面２４を有している。第１ないし第４の辺部２２ａ，２２ｂ，２２ｃ，２２ｄの支持面２４は、開口部２３を取り囲むようにミドルフレーム１２の周方向に連続されている。第１ないし第４の辺部２２ａ，２２ｂ，２２ｃ，２２ｄの支持面２４は、互いに同一の面上に位置されているとともに、フロントベゼル１０と向かい合っている。
【００２０】
図７ないし図１４に示すように、ミドルフレーム１２は、第３の壁２５を有している。第３の壁２５は、第１ないし第４の辺部２２ａ，２２ｂ，２２ｃ，２２ｄの縁からミドルフレーム１２の背後に突出されている。第３の壁２５は、フロントベゼル１０の第１の壁１６とバックシャーシ１１の第２の壁２０との間に介在されている。第３の壁２５は、ミドルフレーム１２の周方向に連続していてもよいし、ミドルフレーム１２の周方向に沿う複数個所で途切れていてもよい。
【００２１】
図５ないし図７に示すように、複数のボス部２６がミドルフレーム１２に一体に形成されている。ボス部２６は、第１ないし第４の辺部２２ａ，２２ｂ，２２ｃ，２２ｄの背面からミドルフレーム１２の背後に向けて突出されているとともに、ミドルフレーム１２の周方向に間隔を存して並んでいる。さらに、各ボス部２６は、ねじ孔２７を有している。
【００２２】
液晶パネル６は、表示パネルの一例であって、筐体５の内部に収容されている。図３に示すように、液晶パネル６は、四角い液晶セル２８と、液晶セル２８を駆動する駆動回路を搭載した二枚のプリント基板２９ａ，２９ｂとを備えている。本実施形態によると、従来の液晶パネルのように、液晶セル、プリント基板等の要素が分離しないようにこれら要素を束ねる液晶フロントベゼル（不図示）は存在しない。
【００２３】
液晶セル２８は、映像を表示する画面２８ａを有している。画面２８ａから外れた液晶セル２８の外周部は、フロントベゼル１０とミドルフレーム１２の支持面２４との間で挟み込まれている。液晶セル２８の画面２８ａは、開口部１４から筐体５の外に露出されている。
【００２４】
図３に示すように、液晶セル２８の背後に拡散板３０が配置されている。拡散板３０は、バックシャーシ１１の第１ないし第４の外周壁１９ａ，１９ｂ，１９ｃ，１９ｄの先端部とミドルフレーム１２の第１ないし第４の辺部２２ａ，２２ｂ，２２ｃ，２２ｄとの間に介在されて、ミドルフレーム１２の開口部２３と向かい合っている。
【００２５】
さらに、拡散板３０の前面に光学シート３１が積層されている。光学シート３１は、例えばプリズムシートや光拡散シートのような三枚のシート要素３２ａ，３２ｂ，３２ｃを含んでいる。光学シート３１は、筐体５の内部で液晶セル２８の背面と向かい合っている。光学シート３１と液晶セル２８の背面との間には、僅かなクリアランスＣが確保されている。
【００２６】
バックライト７は、複数本のＬＥＤモジュール３３を備えている。各ＬＥＤモジュール３３は、複数のＬＥＤ３４が実装された細長いモジュール基板３５を備えている。モジュール基板３５は、バックシャーシ１１の後壁１８の前面に保持され、ＬＥＤ３４が拡散板３０と向かい合っている。ＬＥＤモジュール３３は、バックシャーシ１１の背面に支持されたプリント配線板３６に電気的に接続されている。
【００２７】
図３に示すように、例えば白色の反射シート３７がバックシャーシ１１の前面に積層されている。反射シート３７は、バックシャーシ１１の前面およびモジュール基板３５を連続して覆うとともに、ＬＥＤ３４に対応した位置に複数の通孔３８を有している。
【００２８】
反射シート３７は、ＬＥＤ３４からバックシャーシ１１に向かう光を拡散板３０に向けて反射させる。反射光は、ＬＥＤ３４から直接拡散板３０に向かう光と一緒に拡散板３０に入射される。拡散板３０に入射された光は、光学シート３１を通過して液晶セル２８に向かう。この結果、拡散板３０の前面から液晶セル２８に向けて光が照射され、液晶セル２８の画面２８ａに表示された映像の視認性が高まる。
【００２９】
ユニットカバー８は、例えば合成樹脂材料で構成されている。ユニットカバー８は、バックシャーシ１１を背後から覆うように筐体５に組み付けられている。具体的には、図４および図５に示すように、ユニットカバー８は、複数の座部４０を有している。座部４０は、ミドルフレーム１２のボス部２６の先端面に突き当たるとともに、ねじ孔２７に合致する挿通孔４１を有している。
【００３０】
複数のねじ４２がユニットカバー８の背後から挿通孔４１に挿通されている。ねじ４２は、挿通孔４１を貫通してねじ孔２７にねじ込まれている。このねじ込みにより、座部４０がボス部２６の先端面に突き合わされて、ユニットカバー８が筐体５に対し一体的に結合されている。
【００３１】
ユニットカバー８は、バックシャーシ１１の背面に支持されたプリント配線板３６および一対のスピーカ４３ａ，４３ｂを覆い隠している。このため、ユニットカバー８は、筐体５を構成する要素の一部であるということができる。
【００３２】
一方、本実施形態によると、フロントベゼル１０、バックシャーシ１１およびミドルフレーム１２は、フラットな箱形に組み立てられている。具体的に述べると、フロントベゼル１０、バックシャーシ１１およびミドルフレーム１２は、フロントベゼル１０の周方向に間隔を存した複数個所において互いに仮止めされている。図７ないし図１１は、フロントベゼル１０、バックシャーシ１１およびミドルフレーム１２の一つの仮止め箇所を示している。
【００３３】
図１０および図１１に最もよく示されるように、フロントベゼル１０の第１の壁１６に一対の係合孔４７ａ，４７ｂおよび受け部４８が形成されている。係合孔４７ａ，４７ｂは、第１の係合部の一例である。係合孔４７ａ，４７ｂは、四角い開口形状を有するとともに、第１の壁１６が延びる方向に互いに間隔を存して並んでいる。受け部４８は、第１の係合孔４７ａ，４７ｂの間に位置されているとともに、第１の壁１６の先端からフロントベゼル１０の内側に向けて突出されている。
【００３４】
さらに、フロントベゼル１０の第３の辺部１３ｃと第１の壁１６とで規定される角部に溝状の挿入部４９が形成されている。挿入部４９は、第５の係合部の一例であり、第１の係合孔４７ａ，４７ｂおよび受け部４８から離れている
図１０に示すように、バックシャーシ１１の第２の壁２０に一対の係合爪５１ａ，５１ｂと一対の膨出部５２ａ，５２ｂとが形成されている。係合爪５１ａ，５１ｂは、第２の係合部の一例であって、第２の壁２０から一体的に切り起こされている。係合爪５１ａ，５１ｂは、第２の壁２０からバックシャーシ１１の内側に向けて突出されているとともに、第２の壁２０が延びる方向に互いに間隔を存して並んでいる。
【００３５】
膨出部５２ａ，５２ｂは、第７の係合部の一例である。膨出部５２ａ，５２ｂは、第２の壁２０からバックシャーシ１１の外側に向けて張り出しているとともに、第２の壁２０が延びる方向に互いに間隔を存して並んでいる。一方の膨出部５２ａは、係合爪５１ａ，５１ｂの間に位置されている。
【００３６】
さらに、バックシャーシ１１の第３の外周壁１９ｃにスリット５３が形成されている。スリット５３は、他方の膨出部５１ｂと隣り合っている。
【００３７】
図１０および図１１に示すように、ミドルフレーム１２の第３の壁２５に切欠き５４、嵌合孔５５および第１の係合片５６が形成されている。切欠き５４は、フロントベゼル１０の受け部４８およびバックシャーシ１１の一方の膨出部５２ａを避けるように第３の壁２５の先端縁に開口されている。嵌合孔５５は、バックシャーシ１１の他方の膨出部５２ｂが取り外し可能に引っ掛かる要素であって、切欠き５４と隣り合っている。第１の係合片５６は、第６の係合部の一例であって、前記フロントベゼル１０の挿入部４９に対応する位置に設けられている。第１の係合片５６は、フロントベゼル１０の背後の方向から挿入部４９に取り外し可能に挿入される。
【００３８】
さらに、ミドルフレーム１２の第３の辺部２２ｃに第２の係合片５７が設けられている。第２の係合片５７は、バックシャーシ１１のスリット５３に対応する位置に設けられている。第２の係合片５７は、スリット５３を貫通するように第３の辺部２２ｃの背面からバックシャーシ１１の背後に向けて突出されている。
【００３９】
本実施形態によると、フロントベゼル１０、バックシャーシ１１およびミドルフレーム１２は、以下に述べる手順によりフラットな箱形に組み立てることができる。最初に、フロントベゼル１０の第１の壁１６で囲まれた領域にフロントベゼル１０の背後からミドルフレーム１２を嵌め込む。
【００４０】
これにより、ミドルフレーム１２の第１ないし第４の辺部２２ａ，２２ｂ，２２ｃ，２２ｄがフロントベゼル１０の第１ないし第４の辺部１３ａ，１３ｂ，１３ｃ，１３ｄの背面の上に重なり合う。それとともに、ミドルフレーム１２の第１の係合片５６がフロントベゼル１０の挿入部４９に入り込む。この結果、フロントベゼル１０とミドルフレーム１２との相対的な位置が定まり、フロントベゼル１０の受け部４８がミドルフレーム１２の切欠き５４に位置される。
【００４１】
本実施形態では、第１の係合片５６と挿入部４９との間には、僅かながらのクリアランスが確保されている。当該クリアランスの存在により、フロントベゼル１０およびミドルフレーム１２の寸法公差を吸収できるとともに、フロントベゼル１０およびミドルフレーム１２がある程度動き得るような自由度をもって仮止めされている。
【００４２】
次に、ミドルフレーム１２の第３の壁２５で囲まれた領域にミドルフレーム１２の背後からバックシャーシ１１を嵌め込む。これにより、バックシャーシ１１の第１ないし第４の外周壁１９ａ，１９ｂ，１９ｃ，１９ｄの先端部がミドルフレーム１２の第１ないし第４の辺部２２ａ，２２ｂ，２２ｃ，２２ｄの背面の上に重なり合う。それとともに、ミドルフレーム１２の第２の係合片５７がバックシャーシ１１のスリット５３を貫通する。この結果、ミドルフレーム１２とバックシャーシ１１との相対的な位置が定まる。
【００４３】
本実施形態では、第２の係合片５７とスリット５３との間には、僅かながらのクリアランスが確保されている。当該クリアランスの存在により、ミドルフレーム１２およびバックシャーシ１１の寸法公差を吸収できるとともに、ミドルフレーム１２およびバックシャーシ１１がある程度動き得るような自由度をもって仮止めされている。
【００４４】
図７ないし図９に示すように、ミドルフレーム１２の内側にバックシャーシ１１が嵌め込まれた状態では、ミドルフレーム１２の第３の壁２５がフロントベゼル１０の第１の壁１６とバックシャーシ１１の第２の壁２０との間に介在されている。この際、第２の壁２０から張り出した一方の膨出部５２ａが第３の壁２５の切欠き５４を介して第１の壁１６の受け部４８に引っ掛かっている。それとともに、第２の壁２０から張り出した他方の膨出部５２ｂが第３の壁２５の嵌合孔５５に入り込んで、当該嵌合孔５５の開口縁に引っ掛かっている。さらに、第１の壁１６に設けられた一対の係合孔４７ａ，４７ｂと第３の壁２５に設けられた一対の係合爪５１ａ，５１ｂとが第３の壁２５を間に挟んで互いに向かい合うような位置関係に保たれる。
【００４５】
この結果、フロントベゼル１０、バックシャーシ１１およびミドルフレーム１２の三つの要素が互いに仮止めされて、箱形の一体構造物を形作っている。
【００４６】
図１２ないし図１４に示すように、仮止めされたフロントベゼル１０、バックシャーシ１１およびミドルフレーム１２は、クリップ６０により互いに連結されている。クリップ６０は、筐体５の周方向に間隔を存した複数個所で第１の壁１６、第２の壁２０および第３の壁２５を挟み込んで保持している。
【００４７】
具体的に述べると、図１２ないし図１８に示すように、クリップ６０は、例えばステンレス製の薄板を一体的に折り曲げることで構成されている。本実施形態のクリップ６０は、挟持部６１、延出部６２および抓み部６３を有している。
【００４８】
挟持部６１は、第１の板部６５、第２の板部６６および第３の板部６７で構成されている。第１の板部６５は、第１の壁１６に重なる細長い形状を有している。一対の嵌合片６８ａ，６８ｂが第１の板部６５から切り起こされている。嵌合片６８ａ，６８ｂは、第１の板部６５の長手方向に互いに離れているとともに、第１の板部６５から第１の壁１６に向けて張り出している。
【００４９】
嵌合片６８ａ，６８ｂは、第３の係合部の一例であって、第１の壁１６の係合孔４７ａ，４７ｂに弾性的に取り外し可能に引っ掛かるように構成されている。嵌合片６８ａ，６８ｂは、係合孔４７ａ，４７ｂよりも小さな形状を有している。そのため、嵌合片６８ａ，６８ｂと係合孔４７ａ，４７ｂの開口縁との間には、第１の壁１６が延びる方向に沿う多少のクリアランスが確保されている。
【００５０】
第２の板部６６は、第２の壁２０に重なる細長い形状を有している。一対の係合孔６９ａ，６９ｂが第２の板部６６に形成されている。係合孔６９ａ，６９ｂは、第２の板部６６の長手方向に互いに離れているとともに、四角い開口形状を有している。
【００５１】
係合孔６９ａ，６９ｂは、第４の係合部の一例であって、第２の壁２０の係合爪５１ａ，５１ｂが弾性的に取り外し可能に引っ掛かるように構成されている。係合孔６９ａ，６９ｂは、係合爪５１ａ，５１ｂよりも大きな開口形状を有している。そのため、係合爪５１ａ，５１ｂと係合孔６９ａ，６９ｂの開口縁との間には、第２の壁２０が延びる方向に沿う多少のクリアランスが確保されている。
【００５２】
第３の板部６７は、第１の板部６５の側縁と第２の板部６６の側縁との間を連結するように第１の板部６５と第２の板部６６との間に跨っている。このため、第１の板部６５および第２の板部６６は、互いに間隔を存して向かい合っており、第１の板部６５と第２の板部６６との間に第１の壁１６、第２の壁２０および第３の壁２５が入り込むようになっている。
【００５３】
延出部６２は、第２の板部６６の先端縁から直角に折り返されて、第２の板部６６から遠ざかる方向に延びている。抓み部６３は、例えばラジオペンチのような工具で掴む要素であって、延出部６２の先端縁から直角に折り返されて、第２の板部６６と向かい合っている。
【００５４】
このようなクリップ６０は、図１７および図１８に示すように、第１の壁１６の係合孔４７ａ，４７ｂおよび第２の壁２０の係合爪５１ａ，５１ｂに対応する位置で、バックシャーシ１１の背後から第１の壁１６および第２の壁２０の間に跨るように差し込まれる。この差し込みにより、クリップ６０の挟持部６１で第１ないし第３の壁１６，２０，２５が弾性的に挟み込まれるとともに、挟持部６１の第３の板部６７が第１の壁１６の先端に突き当たる。
【００５５】
さらに、図１３および図１７に示すように、クリップ６０の嵌合片６８ａ，６８ｂが第１の壁１６の係合孔４７ａ，４７ｂの開口縁に引っ掛かり、第２の壁２０の係合爪５１ａ，５１ｂがクリップ６０の係合孔６９ａ，６９ｂの開口縁に引っ掛かる。
【００５６】
この結果、クリップ６０が第１の壁１６および第２の壁２０に対し脱落不能に保持され、箱形に組み立てられたフロントベゼル１０、バックシャーシ１１およびミドルフレーム１２の三つの要素がクリップ６０を介して一体的に連結される。
【００５７】
クリップ６０が第１の壁１６および第２の壁２０に保持された状態では、嵌合片６８ａ，６８ｂと係合孔４７ａ，４７ｂの開口縁との間および係合爪５１ａ，５１ｂと係合孔６９ａ，６９ｂの開口縁との間に夫々クリアランスが確保されている。このため、クリップ６０は、第１の壁１６および第２の壁２０に沿ってある程度動き得るような自由度をもって第１の壁１６および第２の壁２０に保持されている。
【００５８】
加えて、図１４に示すように、挟持部６１を構成する第２の板部６６は、第２の壁２０の内面に重なり合い、第１の壁１６の受け部４８と第２の壁２０の膨出部５２ａとの係合部分を覆っている。そのため、第２の板部６６で膨出部５２ａを受け部４８に押し付けることができ、クリップ６０がある程度動き得るような自由度をもって第１の壁１６および第２の壁２０に保持されていても、膨出部５２ａと受け部４８との係合状態を維持することができる。
【００５９】
図１２ないし図１４に示すように、第１ないし第３の壁１６，２０，２５がクリップ６０の挟持部６１で挟持された状態では、クリップ６０の延出部６２がバックシャーシ１１の第１ないし第４の外周壁１９ａ，１９ｂ，１９ｃ，１９ｄに対しバックシャーシ１１の背後から向かい合う。このため、バックシャーシ１１の第１ないし第４の外周壁１９ａ，１９ｂ，１９ｃ，１９ｄがミドルフレーム１２の背後に抜け出すのをクリップ６０の延出部６２で抑制することができる。
【００６０】
本実施形態では、クリップ６０の延出部６２がバックシャーシ１１の第１ないし第４の外周壁１９ａ，１９ｂ，１９ｃ，１９ｄから離れているが、延出部６２を第１ないし第４の外周壁１９ａ，１９ｂ，１９ｃ，１９ｄの背面に突き当てるようにしてもよい。
【００６１】
クリップ６０の抓み部６３は、挟持部６１から離れた状態でバックシャーシ１１の背後に向けて突出されている。そのため、抓み部６１を例えばラジオペンチのような工具で掴んでバックシャーシ１１の背後に引っ張ることで、クリップ６０の第２の板部６６を第２の壁２０から遠ざかる方向に変形させることができる。これにより、クリップ６０の係合孔６９ａ，６９ｂとバックシャーシ１１の係合爪５１ａ，５１ｂとの係合が解除される。
【００６２】
実施形態によれば、クリップ６０は、フロントベゼル１０の第１の壁１６、バックシャーシ１１の第２の壁２０およびミドルフレーム１２の第３の壁２５を弾性的に挟み込んだ状態で、第１の壁１６および第２の壁２０に脱落不能に引っ掛かっているに止まっている。
【００６３】
このため、フロントベゼル１０、バックシャーシ１１およびミドルフレーム１２の三つの要素は、互いにある程度まで動き得るような自由度を持たせた状態で連結され、各要素間の寸法公差を三つの要素の結合部分で吸収することができる。
【００６４】
したがって、三つの要素の結合部分に応力が生じるのを防止でき、例えば化粧面１５を有するミドルフレーム１２が歪むのを回避できる。
【００６５】
さらに、クリップ６０の挟持部６１は、バックシャーシ１１の背後から第１の壁１６および第２の壁２０の間に跨るように差し込むだけで、筐体５に脱落不能に保持される。それとともに、クリップ６０の抓み部６３を工具で掴んでバックシャーシ１１の背後に引っ張れば、バックシャーシ１１の係合爪５１ａ，５１ｂがクリップ６０の係合孔６９ａ，６９ｂから外れるので、クリップ６０を筐体５から簡単に取り外すことができる。
【００６６】
したがって、クリップ６０の取り付けおよび取り外しを単純な作業で極めて容易に行うことができ、液晶テレビ１の組立時の作業性を改善することができる。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６８】
例えば、前記実施形態では、フロントベゼルにミドルフレームを組み付けた状態で、当該ミドルフレームにバックシャーシを組み付けるようにしたが、これに限定されるものではない。
【００６９】
例えば、バックシャーシにミドルフレームを組み付けた状態で、当該ミドルフレームにフロントベゼルを組み付けるようにしてもよい。
【符号の説明】
【００７０】
５…筐体、６…表示パネル（液晶パネル）、１０…第１の部品（フロントベゼル）、１１…第２の部品（バックシャーシ）、１２…第３の部品（ミドルフレーム）、１６…第１の壁、２０…第２の壁、２５…第３の壁、２８ａ…画面、４７ａ，４７ｂ…第１の係合部（係合孔）、５１ａ，５１ｂ…第２の係合部（係合爪）、６０…クリップ、６１…挟持部、６８ａ，６８ｂ…第３の係合部（嵌合片）、６９ａ，６９ｂ…第４の係合部(係合孔)。
【図１】
2015072372.tif 000003
【図２】
2015072372.tif 000004
【図３】
2015072372.tif 000005
【図４】
2015072372.tif 000006
【図５】
2015072372.tif 000007
【図６】
2015072372.tif 000008
【図７】
2015072372.tif 000009
【図８】
2015072372.tif 000010
【図９】
2015072372.tif 000011
【図１０】
2015072372.tif 000012
【図１１】
2015072372.tif 000013
【図１２】
2015072372.tif 000014
【図１３】
2015072372.tif 000015
【図１４】
2015072372.tif 000016
【図１５】
2015072372.tif 000017
【図１６】
2015072372.tif 000018
【図１７】
2015072372.tif 000019
【図１８】
2015072372.tif 000020